(57)【要約】【課題】  小型化および低コスト化を図る上で有利なデジタルアンプを提供する。【解決手段】  スイッチング回路１６は、入力信号Ｓｐｗｍの「Ｌ」、「Ｈ」に対応してオン、オフすることにより出力端１６０２から振幅が動作電圧Ｖｒｅｇと等しい駆動信号Ｓｄを出力する。ミュート手段１８はスイッチング回路１６の出力端１６０２とローパスフィルタ２０の入力端２００２との間に並列接続された複数のＮチャンネル型電界効果型トランジスタＴＲと、各トランジスタＴＲのオン、オフを独立して制御するコントローラ１９とを含んで構成されている。各トランジスタＴＲは供給される制御信号ＣＮＴ１乃至ＣＮＴ９の「Ｈ」、「Ｌ」に基づいて独立してオン、オフ制御され出力端１６０２と入力端２００２との間の抵抗値がステップ状に増減可能となっている。【選択図】        図１
2005117091.tif 000002
【特許請求の範囲】
【請求項１】
パルス幅変調形式の入力信号に基づいて直流電圧からなる動作電圧をスイッチングすることによって駆動信号を出力するスイッチング手段と、
前記駆動信号を入力し該駆動信号の可聴周波数帯域の信号成分を通過させることによってオーディオ信号を出力するローパスフィルタとを備えたデジタルアンプであって、
前記駆動信号が出力される前記スイッチング手段の出力端と前記駆動信号が入力されるローパスフィルタの入力端との間に、抵抗値がステップ状に増減可能に構成されたミュート手段が設けられている、
ことを特徴とするデジタルアンプ。
【請求項２】
前記ミュート手段は、前記出力端と入力端の間に並列接続された複数のスイッチ手段と、前記各スイッチ手段のオン、オフを独立して制御する制御手段と、前記各スイッチ手段に対してそれぞれ直列に接続された互いに抵抗値が異なる抵抗とを含んで構成されていることを特徴とする請求項１記載のデジタルアンプ。
【請求項３】
前記スイッチ手段は電界効果型トランジスタで構成され、前記抵抗は前記電界効果型トランジスタのオン抵抗で構成されていることを特徴とする請求項２記載のデジタルアンプ。
【請求項４】
前記スイッチ手段はバイポーラ型トランジスタで構成されていることを特徴とする請求項２記載のデジタルアンプ。
【請求項５】
前記スイッチ手段はメカニカルスイッチで構成されていることを特徴とする請求項２記載のデジタルアンプ。
【請求項６】
前記複数のスイッチング手段の数をｎ個（但しｎは２以上の整数）としたとき、各スイッチング手段に接続されている抵抗の抵抗値Ｒｏｎのそれぞれは、Ｒｏｎ＝２ａＲ（ａ＝ｎ−１、ｎ−２、ｎ−３、……１、０）（但しＲは所定の単位抵抗値）として設定されることを特徴とする請求項２記載のデジタルアンプ。
【請求項７】
前記ローパスフィルタの出力端には、前記オーディオ信号を入力して音声を出力する音声出力手段が接続されることを特徴とする請求項１記載のデジタルアンプ。
【請求項８】
前記音声出力手段は入力抵抗を有し、該入力抵抗が高抵抗値である場合、前記入力抵抗よりも低い抵抗値を有する抵抗が前記入力抵抗と並列となるように前記ローパスフィルタの出力端に接続されていることを特徴とする請求項７記載のデジタルアンプ。
【請求項９】
前記動作電圧の値を制御する動作電圧制御手段を更に有することを特徴とする請求項１記載のデジタルアンプ。
【発明の詳細な説明】
【技術分野】
【０００１】
本発明はデジタルアンプに関する。
【背景技術】
【０００２】
デジタルアンプは、ＣＤやＭＤなどを再生して得られるパルス符号変調形式（以下ＰＣＭ（Ｐｌｕｓｅ  Ｃｏｄｅｄ  Ｍｏｄｕｌａｔｉｏｎ）形式という）の入力信号をパルス幅変調形式（以下ＰＷＭ（Ｐｌｕｓｅ  Ｗｉｄｔｈ  Ｍｏｄｕｌａｔｉｏｎ）形式という）の入力信号に変換し、前記ＰＷＭ形式の入力信号に基づいて動作電圧をスイッチング手段によってスイッチングすることによって駆動信号を生成し、該駆動信号をローパスフィルタによってオーディオ信号に変換してスピーカなどの音声出力手段に供給するように構成されている。
このようなデジタルアンプにおいて、例えば電源の投入時や前記入力信号の切り換え時には、前記スイッチング手段から過渡的に大きな信号が出力され前記音声出力手段に負担を与えたり、音声出力手段からノイズ音が発生してしまう。このような現象を回避するため、前記過渡的な信号の発生を抑制するミュート手段を備えたものが提案されている。
例えば、ローパスフィルタの後段において、ローパスフィルタの出力端と音声出力手段の入力端の間に直列に第１のスイッチを接続するとともに、音声出力手段の入力端に該音声出力手段と並列に第２のスイッチを接続し、ミュート動作時には前記第１のスイッチをオフするとともに、第２のスイッチをオンすることで前記過渡的な信号が音声出力手段に印加されることを防止したデジタルアンプが知られている。
また、一対の電界効果型トランジスタからなるスイッチング回路を複数段並列に設けるとともに、各スイッチング回路の電界効果型トランジスタのオン抵抗を互いに異ならせたデジタルアンプが提案されている（例えば特許文献１参照）。このデジタルアンプでは、ミュート動作時には、まず各スイッチング回路の全てを動作させておき、順次スイッチング回路の動作を１つずつ停止させることで前記過渡的な信号の出力を抑制している。
【特許文献１】特許第３４１００６１号
【発明の開示】
【発明が解決しようとする課題】
【０００３】
しかしながら上述した前者のデジタルアンプでは、前記ローパスフィルタの後段に第１、第２のスイッチを設ける都合上、これら第１、第２のスイッチはスイッチング回路を構成する集積回路の外部に配置しなくてはならず、部品点数が増えるとともに占有スペースが必要となり小型化を図る上で不利であった。
また、後者のデジタルアンプでは、前記各スイッチング回路を構成する一対の電界効果型トランジスタが同時にオンして突入電流が生じることを防止しなくてはならないため、各電界効果型トランジスタのタイミング制御を精密に行なう必要がある。このため、複数のスイッチング回路を制御する制御回路が複雑なものとなりコストを削減する上で不利であった。
本発明はこのような事情に鑑みなされたものであり、本発明の目的は小型化および低コスト化を図る上で有利なデジタルアンプを提供することにある。
【課題を解決するための手段】
【０００４】
上述の目的を達成するため、本発明のデジタルアンプは、パルス幅変調形式の入力信号に基づいて直流電圧からなる動作電圧をスイッチングすることによって駆動信号を出力するスイッチング手段と、前記駆動信号を入力し該駆動信号の可聴周波数帯域の信号成分を通過させることによってオーディオ信号を出力するローパスフィルタとを備えたデジタルアンプであって、前記駆動信号が出力される前記スイッチング手段の出力端と前記駆動信号が入力されるローパスフィルタの入力端との間に、抵抗値がステップ状に増減可能に構成されたミュート手段が設けられていることを特徴とする。
【発明の効果】
【０００５】
そのため、本発明によれば、スイッチング手段の出力端とローパスフィルタの入力端との間に、抵抗値がステップ状に増減可能に構成されたミュート手段を設けたので、ローパスフィルタの後段にミュート手段を設ける場合と違ってミュート手段と、該ミュート手段の前段のスイッチング手段を含む回路とを同一の集積回路で実現することが可能となり、部品点数や占有スペースの削減を図る上で有利となる。
また、ミュート手段はスイッチング手段と独立して構成されているため、スイッチング手段の制御回路に影響を与えることがなく回路構成の複雑化やコストアップを抑制する上で有利となる。
【発明を実施するための最良の形態】
【０００６】
小型化および低コスト化を図るという目的を、スイッチング手段とローパスフィルタの間に抵抗値がステップ状に増減可能に構成されたミュート手段を設けることで実現した。
【実施例１】
【０００７】
次に本発明の実施例１について図面を参照して説明する。
図１は実施例１のデジタルアンプの構成を示すブロック図、図２は図１のミュート手段部分を等価回路として説明した図である。
図１に示すように、デジタルアンプ１００は、例えば図略のＣＤプレーヤー、ＤＶＤプレーヤーなどの音源に接続され、これら音源からＰＣＭ形式の入力信号Ｓｐｃｍを入力すとともに、デジタルアンプ１００に接続されたスピーカーなどの音声出力手段２００にオーディオ信号Ｓａｄを供給するように構成されている。
【０００８】
デジタルアンプ１００は、レギュレータ１０、マイクロコンピュータ１２、パルス幅変調回路１４、スイッチング回路１６、ミュート手段１８、ローパスフィルタ２０、結合コンデンサ２２などを備えている。
レギュレータ１０は、不図示の電源部から供給される一定値の直流電圧に基づいて直流の正電圧である動作電圧Ｖｒｅｇを生成するものであり、マイクロコンピュータ１２（動作電圧制御手段）によって動作電圧Ｖｒｅｇの値が制御されるように構成されている。
パルス幅変調回路１４は、ＰＣＭ形式の入力信号Ｓｐｃｍを入力してＰＷＭ形式の入力信号Ｓｐｗｍを生成するように構成され、例えばオーバーサンプリングフィルタやΔΣ変調回路を含んで構成されている。
入力信号Ｓｐｗｍは、基準電圧（本実施例ではグランド電位）に対して一定の波高値を有しており、入力信号Ｓｐｗｍのデューティ比はオーディオ信号Ｓａｄの振幅、すなわち音量に比例している。
スイッチング回路１６は、レギュレータ１０から入力される動作電圧Ｖｒｅｇを入力信号Ｓｐｗｍの「Ｌ」、「Ｈ」に対応してオン、オフすることにより出力端１６０２から振幅が動作電圧Ｖｒｅｇと等しい駆動信号Ｓｄを出力するように構成されている。この駆動信号ＳｄはＰＷＭ形式となっている。また、スイッチング回路１６は、従来公知の種々の回路によって実現可能であるためその構成については説明を省略する。
【０００９】
ミュート手段１８はスイッチング回路１６の出力端１６０２とローパスフィルタ２０の入力端２００２との間に並列接続された複数のＮチャンネル型電界効果型トランジスタ（以下単にトランジスタという）ＴＲと、各電界効果型トランジスタＴＲのオン、オフを独立して制御するコントローラ１９とを含んで構成されている。
各トランジスタＴＲはドレインが出力端１６０２に、ソースが入力端２００２にそれぞれ共通接続され、ゲートはコントローラ１９に接続されている。
本実施例では複数のトランジスタＴＲは互いにオン抵抗値が異なる値に設定されている。
すなわち、複数の電界効果型トランジスタＴＲの数をｎ個（本実施例ではｎ＝９）としたとき、各電界効果型トランジスタＴＲのオン抵抗値Ｒｏｎのそれぞれは、Ｒｏｎ＝２ａＲ（ａ＝ｎ−１、ｎ−２、ｎ−３、……１、０）（但しＲは所定の単位抵抗値）として設定されている。
更に詳しく説明すると、本実施例では、図２に示すように、各トランジスタＴＲ１乃至ＴＲ９のオン抵抗値をそれぞれＲｏｎ１乃至Ｒｏｎ９としたとき、オン抵抗値は概略で以下のとおりとなる。
Ｒｏｎ１＝２８Ｒ＝２５６Ｒ
Ｒｏｎ２＝２７Ｒ＝１２８Ｒ
Ｒｏｎ３＝２６Ｒ＝６４Ｒ
Ｒｏｎ４＝２５Ｒ＝３２Ｒ
Ｒｏｎ５＝２４Ｒ＝１６Ｒ
Ｒｏｎ６＝２３Ｒ＝８Ｒ
Ｒｏｎ７＝２２Ｒ＝４Ｒ
Ｒｏｎ８＝２１Ｒ＝２Ｒ
Ｒｏｎ９＝２０Ｒ＝Ｒ
【００１０】
コントローラ１９は、マイクロコンピュータ１２から供給されるミュート動作の有効および無効を指示するミュート動作制御信号Ｓｍ（図３）に基づいて、各トランジスタＴＲ１乃至ＴＲ９のゲートのそれぞれに供給する制御信号ＣＮＴ１乃至ＣＮＴ９を生成するように構成されている。さらに詳しくは、ミュート動作制御信号Ｓｍは「Ｈ」のときミュート動作の無効（解除）を指示し、「Ｌ」のときミュート動作の有効（開始）を指示するようになっている。
したがって、各トランジスタＴＲは供給される制御信号ＣＮＴ１乃至ＣＮＴ９の「Ｈ」、「Ｌ」に基づいて独立してオン、オフ制御され、これによりミュート手段１８はスイッチング回路１６の出力端１６０２とローパスフィルタ２０の入力端２００２との間の抵抗値がステップ状（段階的に）に増減可能となっている。
【００１１】
ローパスフィルタ２０はミュート手段１８から入力端２００２に供給される駆動信号Ｓｄのうち可聴周波数帯域の信号成分のみを通過するように、すなわち駆動信号Ｓｄを可聴帯域のオーディオ信号Ｓａｄに変換するように構成されている。
本実施例では、ローパスフィルタ２０はインダクタンス２０Ａとコンデンサ２０ＢからなるＬＣフィルタで構成されている。
結合コンデンサ２２はローパスフィルタ２０から供給されるオーディオ信号Ｓａｄから直流成分を除いた交流成分のみを通過させ音声出力手段２００に供給するように構成されている。すなわち、ローパスフィルタ２０の出力端には、オーディオ信号Ｓａｄを入力して音声を出力する音声出力手段２００が負荷として接続されている。音声出力手段２００は例えばスピーカー、ヘッドフォン、あるいはイヤホンなどで構成される。
また、本実施例では、トランジスタＴＲによって特許請求の範囲のスイッチ手段が構成され、オン抵抗によって特許請求の範囲の抵抗が構成されている。
また、マイクロコンピュータ１２およびコントローラ１４によって特許請求の範囲の制御手段が構成されている。また、マイクロコンピュータ１２によって特許請求の範囲の動作電圧制御手段が構成されている。
【００１２】
次にミュート手段１８の作用について説明する。
図３はミュート手段１８および音声出力手段２００の等価回路であり、ローパスフィルタ２０は省略されている。
図３に示すように、スイッチング回路１６の出力端１６０２とローパスフィルタ２０の入力端２００２との間に並列接続された複数のトランジスタＴＲによって形成される抵抗をＲＭとし、音声出力手段２００の入力抵抗（入力インピーダンス）をＲＬとし、スイッチング回路１６から出力される駆動信号Ｓｄの電圧をＶｉとし、音声出力手段２００に供給されるオーディオ信号Ｓｄの電圧をＶｏとすれば、電圧Ｖｏは式（１）で示される。
Ｖｏ＝（ＲＬ／（ＲＭ＋ＲＬ））・Ｖｉ        （１）
したがって、電圧Ｖｉが一定ならば、抵抗ＲＭが減少するほど電圧Ｖｏが増大し、抵抗ＲＭが増大するほど電圧Ｖｏが減少することになる。
このため、ミュート手段１８によるミュート動作時には、時間経過と共に抵抗ＲＭの抵抗値を最小値から最大値にステップ状に増大させていくことで音声出力手段２００に前記過渡的な信号が加わることを防止することができ、ミュート動作の解除時には、時間経過と共に抵抗ＲＭの抵抗値を最大値から最小値にステップ状に減少させていくことで音声出力手段２００にオーディオ信号Ｓｄを徐々に印加させていくことができることになる。
【００１３】
なお、ミュート手段１８によって形成される抵抗ＲＭの抵抗値の最大値に比較して音声出力手段２００の入力抵抗ＲＬの抵抗値が極めて高い場合には、式（１）からわかるように抵抗ＲＭの抵抗値の増減とは拘わりなく電圧Ｖｏが電圧Ｖｉとほぼ等しくなってしまい、ミュート手段１８によるミュート動作が機能しなくなってしまう。
このような不都合を回避するためには、図２に示すように、入力抵抗ＲＬよりも充分低い抵抗値を有する抵抗２４を、音声出力手段２００と並列にとなるようにローパスフィルタ２０の出力端２００４に接続すればよい。このような抵抗２４を接続することにより、ミュート手段１８から見た見掛け上の音声出力手段２００の入力抵抗を抵抗２４の抵抗値とほぼ等しくすることができ、式（１）の関係を成立させることができる。
例えば、抵抗ＲＭの抵抗値の最大値が数百Ω程度であり、かつ、音声出力手段２００の入力抵抗ＲＬが高抵抗値（例えば１ＭΩ）であった場合、抵抗２４の抵抗値として入力抵抗ＲＬよりも充分に低い抵抗値（例えば１ｋΩ程度）を設定すればよい。
勿論、音声出力手段２００の入力抵抗ＲＬが数Ω乃至数十Ωであった場合には抵抗２４を省くことができる。
また、音声出力手段２００がジャックを介して結合コンデンサ２２の出力端２００４に接続される構成であった場合、音声出力手段２００が前記ジャックに接続されたときに結合コンデンサ２４に充電されている電荷が音声出力手段２００に過渡的に流れてノイズ（ボツ音）が音声出力手段２００から出力されることがある。しかしながら、抵抗２４を設けることにより、該抵抗２４によって結合コンデンサ２４に充電された電荷が放電されるため、前記過渡的な信号の発生を未然に防止できる効果がある。
【００１４】
次にデジタルアンプ１００の動作について説明する。
図４はミュート動作時の各部の動作状態を示す説明図、図５はミュート動作時における各トランジスタの動作状態を示す説明図である。
図４に示すように、時間ｔ０はミュート動作中であって、マイクロコンピュータ１２はコントローラ１９に対してミュート動作を有効とする「Ｌ」状態のミュート動作制御信号Ｓｍを供給するとともに、レギュレータ１０を制御することにより動作電圧Ｖｒｅｇをゼロとしている。
これにより、コントローラ１９は、全トランジスタＴＲ１乃至ＴＲ９に対して供給する制御信号ＣＮＴ１乃至ＣＮＴ９を「Ｌ」とすることで、これらトランジスタＴＲ１乃至ＴＲ９をオフ状態としている。したがって、スイッチング回路１６の出力端１６０２とローパスフィルタ２００２の入力端２００２の間は電気的に切断され、音声出力手段２００に供給されるオーディオ信号Ｓａｄの振幅もゼロとなり、音声出力手段２００は無音状態となっている。
したがって、例えば電源の投入時や前記入力信号の切り換えによってスイッチング回路１６から過渡的に大きな信号が出力されたとしても、ミュート手段１８によって該信号の伝達が阻止されるので、音声出力手段２００に前記過渡的な信号が印加されることはない。
【００１５】
そして、前記過渡的な信号の発生が終了した時間ｔ１でマイクロコンピュータ１４はコントローラ１９に対してミュート動作を無効とする「Ｈ」状態のミュート動作制御信号Ｓｍを供給するとともに、レギュレータ１０を制御することにより動作電圧Ｖｒｅｇを立ち上げる。
これにより、コントローラ１９は、図５に示すように、時間ｔ１から時間ｔ２５５の時間経過に従って各制御信号ＣＮＴ１乃至ＣＮＴ９を生成して各トランジスタＴＲ１乃至ＴＲ９に供給する。なお、図４では、図示を簡素化するために各制御信号ＣＮＴ１乃至ＣＮＴ９が時間経過とともに単に「Ｌ」から「Ｈ」に遷移した状態のみが示されている。
各制御信号ＣＮＴ１乃至ＣＮＴ９の「Ｈ」および「Ｌ」の組み合わせは、時間経過と共に前述した抵抗ＲＭがステップ状に最大値から最小値に変化するように設定されている。
さらに詳しくは、時間ｔ１で抵抗ＲＭは最大値２５６Ｒ、時間ｔ２で抵抗ＲＭは１２８Ｒ、時間ｔ３で抵抗ＲＭは（２５６Ｒと１２８Ｒの並列抵抗値＝２５６Ｒ／３）、……、時間ｔ２５５で抵抗ＲＭは最小値（２５６Ｒ、１２８Ｒ、６４Ｒ、３２Ｒ、１６Ｒ、８Ｒ、４Ｒ、２Ｒ、Ｒの並列抵抗値＝２５６Ｒ／５１１）となっている。
したがって、時間ｔ２５５においてミュート手段１８によって形成される抵抗ＲＭは前記最小値となってほぼ無視できる値となり、音声出力手段２００にオーディオ信号Ｓｄが印加されることになる。
【００１６】
また、再びミュート動作を有効とする場合には、マイクロコンピュータ１４はコントローラ１９に対してミュート動作を有効とする「Ｌ」状態のミュート動作制御信号Ｓｍを供給するとともに、レギュレータ１０を制御することにより動作電圧Ｖｒｅｇを立ち下げる。
これにより、コントローラ１９は、前述とは逆の順番で、すなわち図５に示す時間ｔ２５５から時間ｔ０に向かう逆の順番で時間経過に従って各制御信号ＣＮＴ１乃至ＣＮＴ９を生成して各トランジスタＴＲ１乃至ＴＲ９に供給する。
この場合、各制御信号ＣＮＴ１乃至ＣＮＴ９の「Ｈ」および「Ｌ」の組み合わせは、時間経過と共に前述した抵抗ＲＭがステップ状に最小値から最大値に変化し、最後にスイッチング回路１６の出力端１６０２とローパスフィルタ２００２の入力端２００２の間が電気的に切断されるように設定されている。
このようにしてミュート動作が有効となり、音声出力手段２００に供給されるオーディオ信号Ｓａｄの振幅がゼロとなり、音声出力手段２００は無音状態となる。
【００１７】
以上説明したように本実施例のデジタルアンプ１００によれば、駆動信号Ｓｄが出力されるスイッチング回路１６の出力端１６０２と駆動信号Ｓｄが入力されるローパスフィルタ２０の入力端２００２との間に、抵抗値がステップ状に増減可能に構成されたミュート手段１８を設けたので、ローパスフィルタの後段にミュート手段を設ける場合と違って例えばスイッチング回路１６とミュート手段１８を同一の集積回路で実現することが可能となり、部品点数や占有スペースの削減を図る上で有利となる。
また、ミュート手段１８はスイッチング回路１６と独立して構成されているため、スイッチング回路１６の制御回路に影響を与えることがなく回路構成の複雑化やコストアップを抑制する上で有利となる。
【００１８】
なお、本実施例では、ミュート手段１８のスイッチ手段を構成する複数のトランジスタＴＲが９個の場合を例示したが、トランジスタＴＲの個数は任意である。
また、本実施例では、ミュート手段１８のスイッチ手段を構成する複数のトランジスタＴＲをＮチャンネル型電界効果型トランジスタとしたが、Ｐチャンネル電界効果型トランジスタを用いても同等の効果を得ることが可能である。
また、ミュート手段１８のスイッチ手段としては、電界効果型トランジスタの代りにバイポーラ型トランジスタ（ＰＮＰ型トランジスタ、ＮＰＮ型トンランジスタ）を用いても同等の効果を得ることが可能である。この場合には、上述したオン抵抗の代りに互いに抵抗値の異なる抵抗を各バイポーラ型トランジスタに直列に接続すればよい。
また、ミュート手段１８のスイッチ手段としては、制御手段によってオン、オフされるメカニカルスイッチ（電気的ではなく機械的にスイッチの開閉を行なうもの）を用いても同等の効果を得ることが可能である。この場合には、上述したオン抵抗の代りに互いに抵抗値の異なる抵抗を各メカニカルスイッチに直列に接続すればよい。
また、本実施例では、図４に示すように、ミュート動作解除後、レギュレータ１０を制御して動作電圧Ｖｒｅｇを立ち上げた後、ミュート手段１８によって形成される抵抗ＲＭをステップ状に減少させたが、動作電圧Ｖｒｅｇを中間値に立ち上げて抵抗ＲＭをステップ状に減少させ、最後に動作電圧Ｖｒｅｇを通常動作に必要な電圧に立ち上げるようにしてもよい。
具体的には、ミュート動作解除後、図４に二点鎖線で示すようにレギュレータ１０を制御して動作電圧Ｖｒｅｇを中間電位値（例えば通常動作に必要な電圧の５０％）に立ち上げた後、時間ｔ１から時間ｔ２５５の時間経過に従って各トランジスタＴＲ１乃至ＴＲ９を制御し、ミュート手段１８によって形成される抵抗ＲＭをステップ状に減少させ、時間ｔ２５５が経過後に動作電圧Ｖｒｅｇを前記中間値から通常動作に必要な電圧まで立ち上げるようにしてもよい。
この場合には、ミュート動作解除時において音声出力手段２００に印加されるオーディオ信号Ｓａｄの振幅の大きさをより細かいステップで滑らかに増大させることができ、ユーザの使用感を向上させる上で有利となる。
また、ミュート動作開始時も、上述と同様に動作電圧Ｖｒｅｇを前記中間電位値まで下げてからトランジスタＴＲ１乃至ＴＲ９を制御し、これによりミュート手段１８によって形成される抵抗ＲＭをステップ状に上昇させていく方法も有効である。
また、本実施例では、ミュート手段１８の各トランジスタＴＲを任意にオン、オフさせることができるため、ミュート手段１８の出力抵抗値を任意に選択することができる。したがって、ミュート手段１８によって形成される出力抵抗値を制御することによって、音声出力手段２００で発生する逆起電圧を抑制（ダンピング）することができ音質向上を図る上で有利となる。
また、本実施例では、ミュート手段１８によってミュート動作を行なわせたが、音量調整を行なうために使用してもよいことは勿論である。
【図面の簡単な説明】
【００１９】
【図１】実施例１のデジタルアンプの構成を示すブロック図である。
【図２】図１のミュート手段部分を等価回路として説明した図である。
【図３】ミュート手段１８および音声出力手段２００の等価回路である。
【図４】ミュート動作時の各部の動作状態を示す説明図である。
【図５】ミュート動作時における各トランジスタの動作状態を示す説明図である。
【符号の説明】
【００２０】
１００……デジタルアンプ、１０……レギュレータ、１２……マイクロコンピュータ、１６……スイッチング回路、１８……ミュート手段、ＴＲ１乃至ＴＲ９……トランジスタ、２０……ローパスフィルタ、２００……音声出力手段、Ｖｒｅｇ……動作電圧、Ｓｄ……駆動信号、Ｓａｄ……オーディオ信号。
【図１】
2005117091.tif 000003
【図２】
2005117091.tif 000004
【図３】
2005117091.tif 000005
【図４】
2005117091.tif 000006
【図５】
2005117091.tif 000007